(57)【要約】【課題】通常用と金属対応用で同一のＩＣタグを使用可能とするＩＣタグ用補助シート及びそれをＩＣタグに装着した無線ＩＣタグシートを提供する。【解決手段】特定の共振周波数を有し当該共振周波数近傍で通信する電磁誘導方式のＩＣタグ２０に対し、重ねて使用されるＩＣタグ用補助シート１であって、軟磁性層１１と導体層１２の積層構造を有していてＩＣタグ２０と略同一平面形状もしくはＩＣタグ２０よりも大きな平面形状を有し、ＩＣタグ２０の片面と導体層１２との間に軟磁性層１１が介在するようにＩＣタグ２０の片面に装着され、当該ＩＣタグ用補助シート装着時の共振周波数が前記特定の共振周波数に等しいか、通信可能な変動範囲内となるようにしている。【選択図】図１
2007233508.tif 000002
【特許請求の範囲】
【請求項１】
特定の共振周波数を有し当該共振周波数近傍で通信する電磁誘導方式のＩＣタグに対し、重ねて使用されるＩＣタグ用補助シートであって、
少なくとも軟磁性層と導体層の積層構造を有していて前記ＩＣタグと略同一平面形状もしくは前記ＩＣタグよりも大きな平面形状を有し、前記ＩＣタグの片面と前記導体層との間に前記軟磁性層が介在するように前記ＩＣタグの片面に装着され、当該ＩＣタグ用補助シート装着時の共振周波数が前記特定の共振周波数に等しいか、通信可能な変動範囲内であることを特徴とするＩＣタグ用補助シート。
【請求項２】
前記軟磁性層と前記導体層との間に第１の誘電体層が設けられている請求項１記載のＩＣタグ用補助シート。
【請求項３】
前記軟磁性層の前記導体層が装着されていない面に第２の誘電体層が設けられている請求項１、２記載のＩＣタグ用補助シート。
【請求項４】
前記誘電体層が粘着性もしくは接着性を有している請求項２又は３記載のＩＣタグ用補助シート。
【請求項５】
前記誘電体層の厚さにより、当該ＩＣタグ用補助シート装着時の前記ＩＣタグの共振周波数を調整する請求項２，３又は４記載のＩＣタグ用補助シート。
【請求項６】
前記導体層の前記軟磁性層が装着されない側の面に粘着層が設けられている請求項１，２，３，４又は５記載のＩＣタグ用補助シート。
【請求項７】
請求項１，２，３，４，５又は６記載のＩＣタグ用補助シートがＩＣタグに装着されていることを特徴とする無線ＩＣタグシート。
【発明の詳細な説明】
【技術分野】
【０００１】
本発明は、１３．５６ＭＨｚ等の電磁誘導方式で動作するＩＣタグに装着して、金属（導体）対応構造とするためのＩＣタグ用補助シート及びそれをＩＣタグに装着した無線ＩＣタグシートに関する。
【背景技術】
【０００２】
近年、ＲＦＩＤ（Radio Frequency Identification）技術を用いた無線通信システムが注目されている。この通信システムは、一般に、各種データを記憶可能なデータキャリアと、このデータキャリアに対して非接触で情報の読み書き（リード／ライト）を行なうリーダライタとで構成される。データキャリアは、その形状や大きさ等に応じてＲＦＩＤタグ（無線ＩＣタグ）、非接触ＩＣカード等と呼ばれる（以下では、総称してＩＣタグと呼ぶ）。このＩＣタグに利用される無線周波数帯としては、１３５ｋＨｚ以下の帯域、１３．５６ＭＨｚ帯、及び２．４５ＧＨｚ帯等がある。このＩＣタグは、使用者にとって取り扱いが容易であること等から、最近では交通機関の自動改札機等、各種入退出管理に利用されている。またその他にも、電子マネーや物品管理等への応用も検討されている。
【０００３】
これらのうち、１３．５６ＭＨｚ帯で利用されるＩＣタグ、リーダライタは、一般にループ状のアンテナが内蔵されており、リーダライタのアンテナが発する磁場を介して、電磁誘導によりＩＣタグに電力が供給され、データのリード／ライトが行なわれる。
【０００４】
前記アンテナの周囲が金属等の良導体により構成されている場合（例えば、ＩＣタグが金属製の物品に装着されている場合）、通信用電力の一部が良導体表面に発生する渦電流等の影響で損失するため、通信距離が短くなるという問題があった。
【０００５】
この対策として、下記特許文献１では、アンテナと物品との間に複合磁性体等の軟磁性部材を挿入することにより、アンテナ特性を改善する提案がなされている。
【０００６】
【特許文献１】特開２００２−２９０１３１号公報
【０００７】
ところで、非接触ＩＣカード等のＩＣタグのループ状アンテナ近傍に、磁性体や金属が配置されると、アンテナの共振周波数は大きく変動する。そのため、アンテナの設計を行なうには、ループ状アンテナとこの近傍の磁性体及び周囲金属が存在する状態で所望の共振周波数となるように、ループ状アンテナパターンやコンデンサを設定することにより設計を行なう。例えば、前述の特許文献１や下記非特許文献１に記述されている。
【０００８】
【非特許文献１】「ＲＦＩＤハンドブック」、８６ページ、日刊工業新聞社、２００１年２月２６日初版発行
【０００９】
つまり、通常（金属無し）で使用するＩＣタグと金属対応のＩＣタグでは設計が異なるため、タグメーカーは、通常（金属無し）用と金属対応用の２種類のＩＣタグを製作する必要があり、ユーザーも、使用条件に合わせて、２種類購入し、使い分ける必要があり、コストや利便性の面で都合が悪い。
【発明の開示】
【発明が解決しようとする課題】
【００１０】
本発明は、上記課題を解決するために、通常用と金属対応用で同一のＩＣタグを使用可能とするＩＣタグ用補助シート及びそれをＩＣタグに装着した無線ＩＣタグシートを提供することを目的とする。
【００１１】
本発明のその他の目的や新規な特徴は後述の実施の形態において明らかにする。
【課題を解決するための手段】
【００１２】
上記目的を達成するために、本発明に係るＩＣタグ用補助シートは、特定の共振周波数を有し当該共振周波数近傍で通信する電磁誘導方式のＩＣタグに対し、重ねて使用されるものであって、
少なくとも軟磁性層と導体層の積層構造を有していて前記ＩＣタグと略同一平面形状もしくは前記ＩＣタグよりも大きな平面形状を有し、前記ＩＣタグの片面と前記導体層との間に前記軟磁性層が介在するように前記ＩＣタグの片面に装着され、当該ＩＣタグ用補助シート装着時の共振周波数が前記特定の共振周波数に等しいか、通信可能な変動範囲内であることを特徴としている。
【００１３】
前記ＩＣタグ用補助シートにおいて、前記軟磁性層と前記導体層と間に第１の誘電体層が設けられていてもよい。
【００１４】
前記ＩＣタグ用補助シートにおいて、前記軟磁性層の前記導体層が装着されていない面に第２の誘電体層が設けられていてもよい。
【００１５】
前記ＩＣタグ用補助シートにおいて、前記誘電体層が粘着性もしくは接着性を有していてもよい。
【００１６】
前記ＩＣタグ用補助シートにおいて、前記誘電体層の厚さにより、当該ＩＣタグ用補助シート装着時の前記ＩＣタグの共振周波数を調整してもよい。
【００１７】
前記ＩＣタグ用補助シートにおいて、前記導体層の前記磁性層が装着されない側の面に粘着層が設けられていてもよい。
【００１８】
本発明に係る無線ＩＣタグシートは、前記ＩＣタグ用補助シートがＩＣタグに装着されていることを特徴としている。
【発明の効果】
【００１９】
本発明に係るＩＣタグ用補助シートによれば、特定の共振周波数で通信するＩＣタグに対して、当該ＩＣタグ用補助シートを装着した時の共振周波数がＩＣタグ自体の前記特定の共振周波数に等しいか、通信可能な変動範囲内となる設定となっており、通常用と金属対応用で同一のＩＣタグを使用することが可能となる。つまり、周囲に金属（導体）が配置されていない個所でＩＣタグを使用する際には、通常のＩＣタグをそのまま使用し、例えば金属（導体）製の物品に貼り付けて使用する際には、本発明に係るＩＣタグ用補助シートをＩＣタグと物品の間に装着することにより、通常用のＩＣタグを設計変更せずに（内蔵アンテナの設計変更なしに）、そのまま使用することが可能となる。
【００２０】
また、前記ＩＣタグ用補助シートをＩＣタグ装着することで、金属（導体）製の物品に装着可能な無線ＩＣタグシートを実現できる。
【発明を実施するための最良の形態】
【００２１】
以下、本発明を実施するための最良の形態として、ＩＣタグ用補助シート及び無線ＩＣタグシートの実施の形態を図面に従って説明する。
【００２２】
図１は本発明に係るＩＣタグ用補助シート及び無線ＩＣタグシートの実施の形態１を示す。図１のように、ＩＣタグ用補助シート１は、軟磁性層１１とこれに積層一体化される導体層１２とからなっている。このＩＣタグ用補助シート１は、電磁誘導方式を用いて単体で動作するシート状ＩＣタグ２０に対して、補助的に使用されるシートであって、装着対象となるシート状ＩＣタグ２０と略同一平面形状である。
【００２３】
装着対象となるシート状ＩＣタグ２０は、例えば外形８６ｍｍ×５４ｍｍの薄いカード形状のＲＦＩＤタグとしての機能を有するものであり、ループ状アンテナを内蔵しており、ＭＨｚ帯、例えば１３．５６ＭＨｚで通信する設定である（ＩＣタグ自体の共振周波数が１３．５６ＭＨｚに設定されている）。
【００２４】
ＩＣタグ用補助シート１は、図１に図示するように、ＩＣタグの片面と導体層１２との間に軟磁性層１１が介在するようにＩＣタグ２０の片面に重ねて装着使用するものであり、その装着状態（積層状態）で、その共振周波数が良好に通信可能な周波数（１３．５６ＭＨｚ近辺）になるように、軟磁性層１１は適切な透磁率、厚さを有し、これに導体層１２を積層してなるものである。軟磁性層１１は、例えば、軟磁性フェライトや、あるいは軟磁性フェライトや軟磁性金属の粉末をゴム等のバインダー中に分散させた複合磁性体が使用される。軟磁性層１１に用いる磁性材料は、複素比透磁率の実部が大きく、虚部が小さく、導電率が低い方が望ましい。導体層１２は、渦電流による損失を抑制するため等により、低抵抗であることが好ましい。これら導体層は、例えば、アルミや銅等の良導体の表皮深さ程度もしくはそれ以上の厚さを有する金属箔であることが好ましい。
【００２５】
前記軟磁性層１１の複素比透磁率の実部と厚さの積は、その積の値が大きいほどＩＣタグ２０に内蔵されたループ状アンテナのインダクタンスを増す作用により共振周波数は低下し、前記積の値が小さくなると導体層１２の影響でループ状アンテナのインダクタンスを減じて共振周波数は上昇する。
【００２６】
前記軟磁性層ならびに導体層によるＩＣタグのアンテナの共振周波数への影響は、アンテナのパターン形状やタグ全体の厚さ構造などにより変化するためＩＣタグの種類毎に前記軟磁性層の透磁率、厚さについては適切なものを使用する。
【００２７】
ＩＣタグ２０への本実施の形態の補助シート１の装着方法としては、前記軟磁性層１１に粘着性もしくは接着性を持たせたり、ＩＣタグ２０と補助シート１をラミネーター等を用いて一体化する方法が挙げられ、ＩＣタグ２０に補助シート１を装着することで金属（導体）製の物品に装着可能な無線ＩＣタグシートが得られる。
【００２８】
この実施の形態１によれば、ＩＣタグ２０にＩＣタグ用補助シート１を装着した時のＩＣタグ２０の共振周波数がＩＣタグ自体の特定の共振周波数（例えば１３．５６ＭＨｚ）に等しいか、通信可能な変動範囲内となる設定とすることで、通常用と金属対応用で同一のＩＣタグを使用することが可能となる。具体的には、ＩＣタグ２０単独使用での受信感度（磁界強度）に比較してＩＣタグ用補助シート１装着時の受信感度低下が５０％以内であれば、通信可能な変動範囲内として設計することができる。５０％を超える受信感度低下を引き起こす場合には用途によっては通信不能となるため好ましくない。
【００２９】
従って、周囲に金属（導体）が配置されていない個所でＩＣタグ２０を使用する際には、通常のＩＣタグ２０をそのまま使用し、例えば金属（導体）製の物品に貼り付けて使用する際には、ＩＣタグ用補助シート１をＩＣタグ２０と物品の間に装着することにより、通常用のＩＣタグ２０を設計変更せずに（内蔵アンテナの設計変更なしに）、そのまま使用することが可能となる。この結果、ユーザー側において、使用条件に合わせて、ＩＣタグを２種類購入して使い分ける必要が無くなり、コストや利便性の面で好都合である。
【００３０】
図２は本発明に係るＩＣタグ用補助シート及び無線ＩＣタグシートの実施の形態２であって、ＩＣタグ用補助シート１Ａは、軟磁性層１１、誘電体層（非磁性絶縁層）１３及び導体層１２を順次積層一体化したものである。つまり、軟磁性層１１と導体層１２間に誘電体層１３が介在している。その他の構成は前述の実施の形態１と同様である。
【００３１】
前記誘電体層１３は、例えば、ＰＥＴやアクリル等の低誘電率（比誘電率が５以下）の誘電体や、両面粘着テープ等の粘着材（やはり低誘電率材である）が使用される。
【００３２】
前記軟磁性層１１の透磁率及び厚さ並びに誘電体層１３の厚さは、装着するＩＣタグ２０毎に、適したものを使用することが可能である。
【００３３】
なお、ＩＣタグ２０への本実施の形態の補助シート１Ａの装着方法は、前述の実施の形態１と同様な方法を採用できる。
【００３４】
この実施の形態２の場合の作用効果は実施の形態１と実質的に同じであるが、誘電体層１３を設けたことで導体層１２とＩＣタグ２０間の距離が増すから、導体層１２の影響を実施の形態１よりも軽減することができる。
【００３５】
図３は本発明に係るＩＣタグ用補助シート及び無線ＩＣタグシートの実施の形態３であって、ＩＣタグ用補助シート１Ｂは、誘電体層（非磁性絶縁層）１４、軟磁性層１１及び導体層１２を順次積層一体化したものである。つまり、軟磁性層１１のＩＣタグ２０装着側の面に誘電体層１４が積層されている。その他の構成は前述の実施の形態１と同様である。
【００３６】
前記誘電体層１４は、例えば、ＰＥＴやアクリル等の低誘電率の誘電体や、両面粘着テープ等の粘着材が使用される。
【００３７】
前記軟磁性層１１の透磁率及び厚さ並びに誘電体層１４の厚さは、装着するＩＣタグ２０毎に、適したものを使用することが可能である。
【００３８】
ＩＣタグ２０への本実施の形態の補助シート１Ｂの装着方法としては、前記誘電体層１４に粘着性もしくは接着性を持たせたり、ＩＣタグ２０と補助シート１Ｂをラミネーター等を用いて一体化する方法が挙げられ、ＩＣタグ２０に補助シート１Ｂを装着することで金属（導体）製の物品に装着可能な無線ＩＣタグシートが得られる。
【００３９】
この実施の形態３の作用効果は実施の形態１と実質的に同じであるが、誘電体層１４を設けたことで軟磁性層１１とＩＣタグ２０間の距離が増すから、軟磁性層１１及び導体層１２の影響を実施の形態１よりも軽減することができる。
【００４０】
また、実施の形態２と実施の形態３の構成を組み合わせてもよく、この場合を実施の形態４として図４に示す。つまり、図４のように、ＩＣタグ用補助シート１Ｃは、軟磁性層１１の一面に誘電体層１３が、他面に誘電体層１４が積層された構成を有している。その他の構成は前述の実施の形態１と同様である。これらの誘電体層１３，１４は一方又は両方の厚みを変化させることで、ＩＣタグ２０にＩＣタグ用補助シート１Ｃを装着したときの共振周波数を微調整することが可能である。
【００４１】
また、誘電体層１３，１４は粘着性又は接着性を有するものであってもよい。特に実施の形態３，４の場合は、誘電体層に粘着性又は接着性を持たせることにより、本発明のＩＣタグ用補助シートをＩＣタグに直接装着することが可能となる。
【００４２】
さらには、一例として、図５の実施の形態５のように導体層１２の軟磁性層が装着されない側の面にＩＣタグ用補助シート取り付け用としての粘着層１５が設けられていてもよい。その他の構成は前述の実施の形態４と同様である。このようにすることにより、実施の形態５のＩＣタグ用補助シート１Ｄが付いたＩＣタグを包装箱等の被着体に直接装着することが可能となる。
【００４３】
なお、各実施の形態において、ＩＣタグ用補助シートの平面形状（外形輪郭）はＩＣタグ２０の平面形状と略同一としたが、動作原理上はＩＣタグ２０に内蔵されたループ状アンテナよりも大きな平面形状を有していれば良く、用途に応じてＩＣタグ２０の平面形状よりもＩＣタグ用補助シートの平面形状を大きくしてもよい。
【００４４】
以下、本発明に係るＩＣタグ用補助シートを実施例で詳述する。
【００４５】
ＩＣタグ（ＲＦＩＤタグ）
オムロンソフトウェア株式会社製、ＲＦＩＤタグ  Ｖ７２０Ｓ−Ｄ１３Ｐ３０を使用（外形８６ｍｍ×５４ｍｍ）
【００４６】
共振周波数測定方法
ネットワークアナライザ（アジレントテクノロジー株式会社製  ８７５３Ｅ）の測定ポートに、同軸ケーブル１ｍを介し、５０ｍｍ×４０ｍｍのセンスコイルを装着。前記センスコイル上に被測定アンテナ（ＩＣタグに内蔵されたもの）を置き、ネットワークアナライザ上で観測される、インピーダンスの実部が最大の周波数を共振周波数とする。
【実施例１】
【００４７】
軟磁性層としての各種磁性材料（下記表１のサンプルＮｏ．１〜１１参照）８６ｍｍ×５４ｍｍに、導体層としてのアルミ箔テープ（株式会社スリオンテック社製No.8060-00）を貼り付けたものをＩＣタグ用補助シートとし、ＩＣタグに、両面粘着テープ（寺岡製作所株式会社製７０７Ｎ）を介して前記補助シートを貼り付けた。貼り付けは、ＩＣタグの片面とアルミ箔テープとの間に磁性材料が介在するようにして行った。
【００４８】
なお実施例１は、アルミ箔テープの粘着層ならびに両面粘着テープの介在を考慮しない場合は、図１の形態であり、両者を考慮した場合は図４の形態である。
【００４９】
【表１】
2007233508.tif 000003
【００５０】
実施例１のＩＣタグ用補助シートに関し、当該補助シート貼り付け前後での共振周波数を測定し、実施例１のＩＣタグ用補助シートの効果を確認した。
【００５１】
結果１
共振周波数の評価結果を下記表２に示す。また、磁性材料の複素比透磁率実部と厚さ（ｍｍ）の積を横軸に、共振周波数の測定結果を縦軸に示したグラフを図６に示す。
【００５２】
【表２】
2007233508.tif 000004
【００５３】
なお、表２中、サンプルＮｏ．１のＩＣタグ用補助シート付きＩＣタグは、表１中のサンプルＮｏ．１の磁性材料を使用したものであり、以下同様である。
【００５４】
表２及び図６より、軟磁性層としての磁性材料の複素比透磁率実部と厚さを適切に選択し、本実施例の補助シートの作成、ＩＣタグへの貼り付けを行なうことにより、金属対応構成にしても、共振周波数の変化がほとんど無く、良好な通信が可能なＩＣタグを作成することが可能なことが確認された。
【００５５】
例えば、磁性材料の厚さをｔ（ｍｍ）、１３．５６ＭＨｚでの複素比透磁率の実部をμ１としたとき、表１のサンプルＮｏ．２（積の値６．２５）、サンプルＮｏ．７（積の値４．５）、及びサンプルＮｏ．１１（積の値４．８）の場合、１３．５６ＭＨｚの上下１０％以内の周波数変動に収まり、１３．５６ＭＨｚ近辺で通信する場合に好ましい。実施例１に限って言えば前記積の値は４〜７程度に設定することが好ましいと言える。
【００５６】
なお、市販の他のＩＣタグは、各々アンテナパターンや厚さの構成が異なる。そのため、本実施例で使用したＩＣタグと異なるＩＣタグにおいては、複素比透磁率実部×厚さと共振周波数の関係は、図６と同じとはならない（傾向は同じ）。よって、ＩＣタグ毎に、最適な磁性材料を選定することにより、本発明がなされる。
【実施例２】
【００５７】
軟磁性層としての、表１中のサンプルＮｏ．１１、８６ｍｍ×５４ｍｍに、誘電体層として、低誘電率であるＰＥＴシート０．５ｍｍ厚又は１ｍｍ厚を実施例１で記述した両面テープで貼りつけ、さらに導体層としてのアルミ箔テープを貼りつけたものをＩＣタグ用補助シートとし、ＩＣタグに、前記補助シートの軟磁性層側を、両面粘着テープを介して貼りつけた。
【００５８】
なお実施例２は、アルミ箔テープの粘着層ならびに両面粘着テープの介在を考慮しない場合は、図２の形態であり、両者を考慮した場合は図４の形態である。
【００５９】
実施例２のＩＣタグ用補助シートに関し、当該補助シート貼り付け前後での共振周波数を測定し、実施例２のＩＣタグ用補助シートの効果を確認した。
【００６０】
結果２
誘電体の厚さを横軸に、共振周波数を縦軸に示したグラフを図７に示す。なお、図中の厚さ０ｍｍというのは、誘電体層を装着していない場合である。
【００６１】
図７より、軟磁性層と導体層の間に誘電体層を装着することにより、共振周波数は低域側にシフトすることが確認され、誘電体層の厚さを調整することにより、共振周波数を調整することが可能である。
【実施例３】
【００６２】
軟磁性層としての、表１中のサンプルＮｏ.６、８６ｍｍ×５４ｍｍに、導体層として、アルミ箔テープを貼りつけ、さらに軟磁性層のＩＣタグ装着側に、誘電体層として、低誘電率であるＰＥＴシート０．５ｍｍ厚又は１ｍｍ厚を貼りつけたものをＩＣタグ用補助シートとし、ＩＣタグに、両面粘着テープを介して貼りつけた。
【００６３】
なお実施例３は、アルミ箔テープの粘着層ならびに両面粘着テープの介在を考慮しない場合は、図３の形態であり、両者を考慮した場合は図４の形態である。
【００６４】
実施例３のＩＣタグ用補助シートに関し、当該補助シート貼り付け前後での共振周波数を測定し、実施例３のＩＣタグ用補助シートの効果を確認した。
【００６５】
結果３
誘電体の厚さを横軸に、共振周波数を縦軸に示したグラフを図８に示す。なお、図中の厚さ０ｍｍというのは、誘電体層を装着していない場合である。
【００６６】
図８より、ＩＣタグと軟磁性層との間に、誘電体層を装着することにより、共振周波数は高域側にシフトすることが確認され、誘電体層の厚さを調整することにより、共振周波数を調整することが可能である。
【００６７】
以上本発明の実施の形態及び実施例について説明してきたが、本発明はこれに限定されることなく請求項の記載の範囲内において各種の変形、変更が可能なことは当業者には自明であろう。
【図面の簡単な説明】
【００６８】
【図１】本発明に係るＩＣタグ用補助シート及び無線ＩＣタグシートの実施の形態１を示す拡大断面図である。
【図２】本発明の実施の形態２を示す拡大断面図である。
【図３】本発明の実施の形態３を示す拡大断面図である。
【図４】本発明の実施の形態２と実施の形態３を組み合わせた実施の形態４を示す拡大断面図である。
【図５】本発明の実施の形態２と実施の形態３を組み合わせたものの導体層の磁性層が装着されない側の面に粘着層が付加された実施の形態５を示す拡大断面図である。
【図６】本発明の実施例１における、複素比透磁率実部と厚さ（ｍｍ）との積と、共振周波数（ＭＨｚ）との関係を示すグラフである。
【図７】本発明の実施例２における、誘電体層の厚さと共振周波数（ＭＨｚ）との関係を示すグラフである。
【図８】本発明の実施例３における、誘電体層の厚さと共振周波数（ＭＨｚ）との関係を示すグラフである。
【符号の説明】
【００６９】
１，１Ａ，１Ｂ，１Ｃ，１Ｄ  ＩＣタグ用補助シート
１１  軟磁性層
１２  導体層
１３，１４  誘電体層
１５  粘着層
２０  ＩＣタグ
【図１】
2007233508.tif 000005
【図２】
2007233508.tif 000006
【図３】
2007233508.tif 000007
【図４】
2007233508.tif 000008
【図５】
2007233508.tif 000009
【図６】
2007233508.tif 000010
【図７】
2007233508.tif 000011
【図８】
2007233508.tif 000012